(57)【要約】【課題】時刻に応じた画像を表示できるとともに、特定の画像を自由に表示できる電子時計および電子時計の制御方法を提供する。【解決手段】表示部と、複数の画像を記憶する記憶部と、前記画像を前記表示部に表示させる制御部と、前記表示部に表示中の前記画像の選択操作が可能な操作部とを有し、前記制御部は、前記記憶部に記憶された前記画像を日付および時刻に応じて前記表示部に表示させる第１モード（時刻表示モード）と、前記操作部で選択された前記画像を前記表示部に表示させる第２モード（デモ表示モード）と、を有する。【選択図】図８
2017161464.tif 000002
【特許請求の範囲】
【請求項１】
表示部と、複数の画像を記憶する記憶部と、前記画像を前記表示部に表示させる制御部と、前記表示部に表示中の前記画像の選択操作が可能な操作部とを有し、
前記制御部は、
前記記憶部に記憶された前記画像を日付および時刻に応じて前記表示部に表示させる第１モードと、
前記操作部で選択された前記画像を前記表示部に表示させる第２モードと、を有することを特徴とする電子時計。
【請求項２】
請求項１に記載した電子時計において、
前記制御部は、前記操作部で複数の画像が選択されている状態で、前記第２モードが選択された場合、前記操作部で選択された複数の前記画像を前記表示部に順次表示させることを特徴とする電子時計。
【請求項３】
請求項２に記載した電子時計において、
前記操作部は、電子時計本体の左側面および右側面に配置された一対のボタンを備え、
前記制御部は、一対の前記ボタンが同時に操作された際に前記選択操作が実行されたと判定することを特徴とする電子時計。
【請求項４】
請求項１から請求項３のいずれか一項に記載した電子時計において、
前記制御部は、
前記選択操作が行われた際に、前記記憶部に記憶された前記画像が、所定の最大記憶件数を超えていれば、最も古い前記画像を削除し、
前記第２モードでは、前記記憶部に記憶された前記画像を新しい順で読み出して前記表示部に表示させることを特徴とする電子時計。
【請求項５】
請求項１から請求項４のいずれか一項に記載した電子時計において、
前記記憶部は、前記操作部で選択された前記画像を特定する画像特定情報を記憶可能であり、
前記制御部は、
前記操作部に所定の選択操作が行われた際に、前記表示部に表示中の前記画像の前記画像特定情報を前記記憶部に記憶させ、
前記第２モードが選択された際には、前記記憶部から前記画像特定情報を読み出し、読み出した前記画像特定情報で特定される前記画像を前記表示部に表示させることを特徴とする電子時計。
【請求項６】
請求項１から請求項５のいずれか一項に記載した電子時計において、
前記画像は、時刻表示を含まない第１画像のレイヤーと、時刻表示を含む第２画像のレイヤーとを重ね合わせた画像であり、
前記制御部は、
前記第１モードでは、前記第１画像のレイヤーと、現在時刻の表示を含む前記第２画像のレイヤーとを重ね合わせて前記表示部に表示させ、
前記第２モードでは、ユーザーが選択した前記画像の前記第１画像のレイヤーと、選択時の時刻の表示を含む前記第２画像のレイヤーとを重ね合わせて前記表示部に表示させることを特徴とする電子時計。
【請求項７】
請求項１から請求項５のいずれか一項に記載した電子時計において、
前記画像は、時刻表示を含まない第１画像のレイヤーと、時刻表示を含む第２画像のレイヤーとを重ね合わせた画像であり、
前記制御部は、
前記第１モードでは、前記第１画像のレイヤーと、現在時刻の表示を含む前記第２画像のレイヤーとを重ね合わせて前記表示部に表示させ、
前記第２モードでは、ユーザーが選択した前記画像の前記第１画像のレイヤーと、現在時刻の表示を含む前記第２画像のレイヤーとを重ね合わせて前記表示部に表示させることを特徴とする電子時計。
【請求項８】
請求項１から請求項５のいずれか一項に記載した電子時計において、
前記画像は、時刻表示を含まない第１画像のレイヤーと、時刻表示を含む第２画像のレイヤーとを重ね合わせた画像であり、
前記制御部は、
前記第１モードでは、前記第１画像のレイヤーと、現在時刻の表示を含む前記第２画像のレイヤーとを重ね合わせて前記表示部に表示させ、
前記第２モードでは、ユーザーが選択した前記画像のうち前記第１画像のレイヤーを前記表示部に表示させ、前記第２画像のレイヤーは表示させないことを特徴とする電子時計。
【請求項９】
表示部と、複数のスタイルを有する複数の画像を記憶する記憶部と、前記画像を前記表示部に表示させる制御部とを有し、
前記制御部は、
前記記憶部に記憶された前記画像を、指定されたスタイルで、日付および時刻に応じて前記表示部に表示させる第１モードと、
現在の日付および時刻に対応する全てのスタイルの前記画像を順次、前記表示部に表示させる第３モードと、を有することを特徴とする電子時計。
【請求項１０】
表示部と、複数の画像を記憶する記憶部と、前記画像を前記表示部に表示させる制御部と、前記表示部に表示中の前記画像の選択操作が可能な操作部とを有する電子時計の制御方法であって、
第１モードでは、前記制御部により、前記記憶部に記憶された前記画像を、日付および時刻に応じて前記表示部に表示させ、
第２モードでは、前記制御部により、前記操作部で選択された前記画像を前記表示部に表示させることを特徴とする電子時計の制御方法。
【請求項１１】
表示部と、複数のスタイルを有する複数の画像を記憶する記憶部と、前記画像を前記表示部に表示させる制御部とを有する電子時計の制御方法であって、
第１モードでは、前記制御部により、前記記憶部に記憶された前記画像を、指定されたスタイルで、日付および時刻に応じて前記表示部に表示させ、
第３モードでは、前記制御部により、現在の日付および時刻に対応する全てのスタイルの前記画像を順次、前記表示部に表示させることを特徴とする電子時計の制御方法。
【発明の詳細な説明】
【技術分野】
【０００１】
本発明は、電子時計および電子時計の制御方法に関する。
【背景技術】
【０００２】
現在では、時計の計時精度が飛躍的に向上したため、正確な時刻を表示するだけの時計は魅力が薄れ、ファッション性や遊び心のある時計が求められる傾向が強くなっている。そのような時計を実現するための１つの解決策として、時計が正確な時刻を表示するだけでなくファッション性や遊び心のあるコンテンツも表示可能にすることが考えられる。例えば、特許文献１では、幾何学像やアニメーション画像等が表示され、あるいは、審美的に楽しいファッショナブルなカラー変化機能を備えた液晶表示装置が組み込まれた電子時計が提案されている（特許文献１参照）。
【０００３】
特許文献１に記載の電子時計では、ファッション性や遊び心は向上するものの、液晶表示装置の表示内容と時刻に関連性がないため、ユーザーは、液晶表示装置の表示を見ても時の流れを感じることはできず、時間についてはアナログ針による正確な時刻表示を見るしかない。
これに対し、ユーザーが液晶表示装置の表示を見て緩やかな時の流れを楽しむこともできるように、液晶表示装置の表示内容と時刻とに関連性をもたせた電子時計が提案されている（特許文献２参照）。
【先行技術文献】
【特許文献】
【０００４】
【特許文献１】特表平１０−５０４４００号公報
【特許文献２】特開２０１５−１３７９３９号公報
【発明の概要】
【発明が解決しようとする課題】
【０００５】
しかしながら、特許文献２記載の電子時計では、時刻を知るだけでなく時の流れを楽しむことができるものの、ユーザーの希望でいずれかの画像を表示させるものはない。
すなわち、特許文献２記載の電子時計においては、幾つかの画像が時刻に応じて設定されている。これらの画像は、対応する時刻でないと表示されない。例えば、正午にしか表示されない画像は、次は翌日にならないと表示されない。元日にしか表示されない画像は、一年先にならないと表示されない。
このため、ユーザーなどが、いずれかの画像が気に入って表示させたくなったり、いずれかの画像を誰かに見せたくなったりしても、該当する画像を自由に表示させることができなかった。
【０００６】
本発明の目的は、時刻に応じた画像を表示できるとともに、特定の画像を自由に表示できる電子時計および電子時計の制御方法を提供することにある。
【課題を解決するための手段】
【０００７】
本発明の電子時計は、表示部と、複数の画像を記憶する記憶部と、前記画像を前記表示部に表示させる制御部と、前記表示部に表示中の前記画像の選択操作が可能な操作部とを有し、前記制御部は、前記記憶部に記憶された前記画像を日付および時刻に応じて前記表示部に表示させる第１モードと、前記操作部で選択された前記画像を前記表示部に表示させる第２モードと、を有することを特徴とする。
【０００８】
このような本発明では、電子時計を第１モードとすることで、予め設定された画像が日付および時刻に応じて表示部に表示される。
一方、予め設定された画像のうち、いずれかをユーザーが選択しておき、電子時計を第２モードとすることで、選択された画像が表示部に表示される。
つまり、ユーザーが気に入った画像や、誰かに見せたい画像など、特定の画像を自由に表示させることができる。
この際、第２モードに表示させる画像の選択は、例えば第１モードで画像が表示されている際に、ボタンなどの操作部で選択操作を行うだけでよく、ユーザーは直感的に操作できて画像を容易に選択できる。なお、第１モードと第２モードとの選択は、ユーザーが操作部で操作を行うことで、容易に切り替えることができる。
【０００９】
本発明の電子時計において、前記制御部は、前記操作部で複数の画像が選択されている状態で、前記第２モードが選択された場合、前記操作部で選択された複数の前記画像を前記表示部に順次表示させることが好ましい。
【００１０】
このような本発明では、ユーザーが、複数の画像を選択しておき、第２モードを実行することで、先に選択した複数の画像を順次表示（いわゆるスライドショー表示）させることができる。複数の画像を順次表示する方法（送り方法）は、予め設定された時間（例えば１０秒）毎に表示画像を変更する自動送りでもよく、ユーザーがボタンなどの操作部を操作して表示画像を変更する手動送りでもよい。
なお、ユーザーが選択する複数の画像としては、異なる時刻に表示される各画像を、ユーザーがその画像が表示されている時点でそれぞれ選択してもよいし、表示スタイルを操作部の操作で変更可能であれば、表示スタイルを変更して表示された画像を選択してもよい。また、ユーザーの選択に先立って、電子時計の製造出荷時などに、メーカーが推奨する複数の画像を予め選択しておいてもよい。
【００１１】
本発明の電子時計において、前記操作部は、電子時計本体の左側面および右側面に配置された一対のボタンであり、前記制御部は、一対の前記ボタンが同時に操作された際に前記選択操作が実行されたと判定することが望ましい。
【００１２】
このような本発明では、電子時計本体の左右の側面にそれぞれ設けられた一対のボタンを同時に操作することで、現在の表示画像の選択操作を行うことができる。この操作は、ユーザーが手指で本体を挟むようにして実行でき、ユーザーは選択操作を容易に行うことができる。
本発明において、一対のボタンが「同時に操作される」とは、一対のボタンがともに操作された状態にある期間が所定時間継続することであり、一対のボタンが同じタイミングで操作が開始されて各々の操作が所定時間継続される場合や、一方のボタンが操作されている状態でさらに他方のボタンも操作されて、両方のボタンが同時に操作されている時間が所定時間継続される場合を含む。したがって、各ボタンの操作開始タイミングに数百ミリ秒等の若干の差がある場合も、一対のボタンが同時に操作されたと判定できる。前述した「所定時間継続」としては、例えば２秒以上の継続（長押し）でもよく、あるいは０．５秒以上、２秒未満の継続（短押し）でもよく、操作性を考慮して設定すればよい。
【００１３】
本発明の電子時計において、前記制御部は、前記選択操作が行われた際に、前記記憶部に記憶された前記画像が、所定の最大記憶件数を超えていれば、最も古い前記画像を削除し、前記第２モードでは、前記記憶部に記憶された前記画像を新しい順で読み出して前記表示部に表示させることが好ましい。
【００１４】
このような本発明では、ユーザーが選択した画像は、最新のものから最大記憶件数だけ記憶しておくことができる。そして、古い画像は自動的に消去することができる。したがって、ユーザーは、第２モードで表示する必要がなくなった画像を手動操作で消去する必要が無く、取り扱いが容易となる。また、選択した画像の記憶件数は、予め設定された最大記憶件数（例えば６個）に限定されるため、記憶部の記憶容量も抑制でき、電子時計に組み込み可能な記憶素子で記憶部を構成できる。
さらに、ユーザーやメーカーなどが厳選したお気に入りの画像のみを表示させることができる。このため、選択した画像を一巡させて閲覧する時間を一定時間内に短くでき、ユーザーは自分が気に入った画像のみを短時間で見返すことができる。つまり、各ユーザーが「お気に入りの画像集」を作って楽しむことができるようになる。「お気に入りの画像集」は、友人などにも気軽に簡単に見せることができ、スマートフォンなどで撮影（撮像）することで、ＳＮＳ（Social Networking Service）等にも動画や写真で容易に投稿することができる。
【００１５】
本発明の電子時計において、前記記憶部は、前記操作部で選択された前記画像を特定する画像特定情報を記憶可能であり、前記制御部は、前記操作部に所定の選択操作が行われた際に、前記表示部に表示中の前記画像の前記画像特定情報を前記記憶部に記憶させ、前記第２モードが選択された際には、前記記憶部から前記画像特定情報を読み出し、読み出した前記画像特定情報で特定される前記画像を前記表示部に表示させることが好ましい。
【００１６】
このような本発明では、日付および時刻に応じた画像を表示する第１モードにおいて、ユーザーが操作部に選択操作を行うことで、その時点で表示中の画像が選択され、画像特定情報の形で記憶部に記憶される。ユーザーが第２モードに切り替えると、記憶部に記憶された画像特定情報に基づいて画像が表示され、先にユーザーが選択しておいた画像を表示させることができる。
画像特定情報としては、例えばその画像が表示されるべき時刻や日付の情報が利用できる。複数のスタイルで時刻に応じた画像を表示する場合、同じ時刻でもスタイルによって異なる画像が表示される。このような場合には、選択されたスタイルを指定する識別情報（スタイル番号などの識別記号など）を画像特定情報として用いることができる。
このような画像特定情報を用いることで、記憶部における画像の記憶容量を小さくすることができる。すなわち、記憶部において、ユーザーが選択した画像（第２モードで表示するための画像）のデータを改めて記憶すると、元の第１モード用の画像に対して、画像自体を２重に記憶することになる。しかし、画像特定情報を用い、元の第１モード用の画像を指定することで、２重に記憶されることを解消でき、記憶部として必要な記憶容量も小さくできる。
【００１７】
本発明の電子時計において、前記画像は、時刻表示を含まない第１画像のレイヤーと、時刻表示を含む第２画像のレイヤーとを重ね合わせた画像であり、前記制御部は、前記第１モードでは、前記第１画像のレイヤーと、現在時刻の表示を含む前記第２画像のレイヤーとを重ね合わせて前記表示部に表示させ、前記第２モードでは、ユーザーが選択した前記画像の前記第１画像のレイヤーと、選択時の時刻の表示を含む前記第２画像のレイヤーとを重ね合わせて前記表示部に表示させることが好ましい。
【００１８】
このような本発明では、第２モードでは、ユーザーが選択した画像が表示されるとともに、その表示にはユーザーがその画像を選択した時点の時刻も含まれる。従って、ユーザーが選択した画像に関する記録（いわゆるタイムスタンプ）として利用することができる。なお、第２画像のレイヤーが時刻に加えて日付の表示も含む場合には、ユーザーが画像を選択した日付も表示されるため、ユーザーは画像を選択した状況などを容易に思い起こすことができる。
【００１９】
本発明の電子時計において、前記画像は、時刻表示を含まない第１画像のレイヤーと、時刻表示を含む第２画像のレイヤーとを重ね合わせた画像であり、前記制御部は、前記第１モードでは、前記第１画像のレイヤーと、現在時刻の表示を含む前記第２画像のレイヤーとを重ね合わせて前記表示部に表示させ、前記第２モードでは、ユーザーが選択した前記画像の前記第１画像のレイヤーと、現在時刻の表示を含む前記第２画像のレイヤーとを重ね合わせて前記表示部に表示させることが好ましい。
【００２０】
このような本発明では、第２モードでは、ユーザーが選択した画像が表示され、その表示には現在時刻も含まれる。従って、ユーザーが選択した画像を表示させつつ、現在時刻を読み取ることができ、ユーザーのお気に入りの画像を表示させつつ、時計としての機能を維持することができる。
【００２１】
本発明の電子時計において、前記画像は、時刻表示を含まない第１画像のレイヤーと、時刻表示を含む第２画像のレイヤーとを重ね合わせた画像であり、前記制御部は、前記第１モードでは、前記第１画像のレイヤーと、現在時刻の表示を含む前記第２画像のレイヤーとを重ね合わせて前記表示部に表示させ、前記第２モードでは、ユーザーが選択した前記画像のうち前記第１画像のレイヤーを前記表示部に表示させ、前記第２画像のレイヤーは表示させないことが好ましい。
【００２２】
このような本発明では、第２モードにおいて、ユーザーが選択した画像のうち第１画像のみが表示され、時刻表示を含む第２画像は除外される。第２モードにおいて第２画像をも表示させると、例えば第２画像に選択時の時刻が表示された場合に、現在の時刻と誤認する可能性がある。しかし、第２画像は除外されることで、このような誤認を防止することができる。さらに、ユーザーが選択した画像のみが順次表示されるため、画像の特徴などが分かりやすくなり、動画として投稿した場合にも、画像表示を重点的に楽しむことができる。
【００２３】
本発明の電子時計は、表示部と、複数のスタイルを有する複数の画像を記憶する記憶部と、前記画像を前記表示部に表示させる制御部とを有し、前記制御部は、前記記憶部に記憶された前記画像を、指定されたスタイルで、日付および時刻に応じて前記表示部に表示させる第１モードと、現在の日付および時刻に対応する全てのスタイルの前記画像を順次、前記表示部に表示させる第３モードと、を有することを特徴とする。
【００２４】
このような本発明では、電子時計を第１モードとすることで、予め設定された画像が日付および時刻に応じて表示部に表示される。
一方、電子時計を第３モードとすることで、現在の日付および時刻に対応する全てのスタイルの画像が順次、表示部に表示される。
つまり、電子時計に設定されているスタイルを、自動的に全て表示させることができ、ユーザーがスタイルを選択する前のプレビューとして、あるいは店頭での展示として用いることができる。
【００２５】
本発明の電子時計の制御方法は、表示部と、複数の画像を記憶する記憶部と、前記画像を前記表示部に表示させる制御部と、前記表示部に表示中の前記画像の選択操作が可能な操作部とを有する電子時計の制御方法であって、第１モードでは、前記制御部により、前記記憶部に記憶された前記画像を、日付および時刻に応じて前記表示部に表示させ、第２モードでは、前記制御部により、前記操作部で選択された前記画像を前記表示部に表示させることを特徴とする。
このような本発明では、前述した本発明の第１モードおよび第２モードを有する電子時計で説明した通りの作用効果を得ることができる。
【００２６】
本発明の電子時計の制御方法は、表示部と、複数のスタイルを有する複数の画像を記憶する記憶部と、前記画像を前記表示部に表示させる制御部とを有する電子時計の制御方法であって、第１モードでは、前記制御部により、前記記憶部に記憶された前記画像を、指定されたスタイルで、日付および時刻に応じて前記表示部に表示させ、第３モードでは、前記制御部により、現在の日付および時刻に対応する全てのスタイルの前記画像を順次、前記表示部に表示させることを特徴とする。
このような本発明では、前述した本発明の第１モードおよび第３モードを有する電子時計で説明した通りの作用効果を得ることができる。
【図面の簡単な説明】
【００２７】
【図１】本発明の一実施形態の電子時計の外観図。
【図２】前記実施形態の電気泳動表示装置の機能ブロック図。
【図３】前記実施形態の表示部および描画ＩＣの構成を示す図。
【図４】前記実施形態の画素の回路構成図。
【図５】前記実施形態の電気泳動素子の構成例を示す図。
【図６】前記実施形態の電気泳動素子の動作の説明図。
【図７】前記実施形態の電気泳動素子の動作の説明図。
【図８】前記実施形態における表示モードの遷移を示す図。
【図９】前記実施形態における表示画像のレイヤー構成を示す図。
【図１０】前記実施形態におけるデモ表示用の画像特定情報を示す図。
【図１１】図１０の画像特定情報によるデモ表示を示す図。
【図１２】時刻表示モードでのデモ表示用の画像の選択操作を示す図。
【図１３】デモ表示モード用の画像特定情報の追加動作を示す図。
【図１４】図１３の画像特定情報によるデモ表示を示す図。
【図１５】本発明の他の実施形態におけるデモ表示を示す図。
【図１６】本発明の他の実施形態におけるデモ表示を示す図。
【図１７】本発明の他の実施形態におけるデモ表示を示す図。
【図１８】本発明の他の実施形態におけるデモ表示を示す図。
【発明を実施するための形態】
【００２８】
以下、本発明の好適な実施形態について図面を用いて詳細に説明する。
［電子時計の概要］
図１は本実施形態の電子時計１の外観図であり、電子時計１を表示部に垂直かつ表示部を視認可能な方向（正面）からみた平面図である。図１に示すように、本実施形態の電子時計１は、腕時計であり、時計ケース２や時計ケース２に連結された一対のバンド３等を備える。
【００２９】
時計ケース２の正面には、電気泳動表示（ＥＰＤ：Electrophoretic Display）パネルで構成された表示部４が設けられ、時計ケース２、つまり電子時計本体の左側面および右側面には、操作ボタンＡ（５Ａ）と操作ボタンＢ（５Ｂ）とが設けられている。
【００３０】
操作ボタンＡ（５Ａ）又は操作ボタンＢ（５Ｂ）の押下操作（入力操作）に応じて、表示部４には各種の画像、例えば、１分毎あるいは１秒毎に更新される時刻情報を含む各種の画像、時間の経過を表現する画像、時刻修正用の画像等が表示される。
【００３１】
時計ケース２の内部には、表示部４と表示部４を駆動する駆動装置（不図示）とを備えた電気泳動表示装置（表示部以外は不図示）が設けられている。
【００３２】
［電気泳動表示装置の構成］
図２は、本実施形態の電子時計１が備える電気泳動表示装置の機能ブロック図である。
図２に示すように、本実施形態の電子時計１が備える電気泳動表示装置７は、表示部４（図１参照）と駆動装置６とを有し、駆動装置６は、演算ＩＣ（Integrated Circuit）１０、リアルタイムクロック（ＲＴＣ：Real Time Clock）ＩＣ２０、描画ＩＣ３０、温度計測ＩＣ４０及びリセットＩＣ５０を備えている。後述するように、本実施形態では、これらのＩＣ及び表示部４の低消費電力化を実現することで、電気泳動表示装置７は、ボタン電池等の小容量の一次電池６０でも数年間動作を継続するように構成されている。ただし、電気泳動表示装置７は、充電可能な電池（二次電池）で動作するように構成されていてもよい。
【００３３】
本実施形態では、演算ＩＣ１０は、書き換え可能なフラッシュＲＯＭ１２が内蔵された汎用性の高いマイクロコンピューターユニット（ＭＣＵ）を用いて実現されており、フラッシュＲＯＭ１２に記憶されているプログラムやデータに従って動作する。従って、フラッシュＲＯＭ１２に記憶されるプログラムやデータを書き換えることで、演算ＩＣ１０の機能を容易に変更可能である。また、演算ＩＣ１０が内蔵されたムーブメント（時計の駆動装置）の状態でプログラムやデータを書き換えることもできるので、プログラム変更にも容易に対応することができる。
本実施形態において、演算ＩＣ１０が本発明の制御部であり、操作ボタンＡ（５Ａ）又は操作ボタンＢ（５Ｂ）が本発明の操作部である。
【００３４】
演算ＩＣ１０は、操作ボタンＡ（５Ａ）及び操作ボタンＢ（５Ｂ）の押下操作（入力操作）に応じて、表示部４に表示する画像の種類やモードを判断する処理を行う。
演算ＩＣ１０が判断するモードは、１分毎または１秒毎に更新される時刻表示を含む画像を表示部４に表示させる時刻表示モード（第１モード）と、ユーザーが選択した特定の画像を表示部４に表示させるデモ表示モード（第２モード）と、操作ボタンＡ（５Ａ）及び操作ボタンＢ（５Ｂ）の押下操作（入力操作）に応じて表示部４に表示される時刻が進められ、又は巻き戻される時刻修正モード等がある。デモ表示モードおよび表示画像の詳細については後述する。
【００３５】
演算ＩＣ１０は、時刻表示モードおよびデモ表示モードでは、リアルタイムクロックＩＣ２０から日付や時刻等の時刻情報を取得し、表示部４に表示する内容を決定する処理を行い、時刻修正モードでは、操作ボタンＡ（５Ａ）及び操作ボタンＢ（５Ｂ）の押下操作（入力操作）に応じた時刻修正値をリアルタイムクロックＩＣ２０に送信する処理を行う。
【００３６】
フラッシュＲＯＭ１２には、表示部４に表示されている画像を消去するためのマクロ命令（画像消去のマクロ命令）や表示部４に新規画像を描画するためのマクロ命令（新規画像描画のマクロ命令）が記憶されている。演算ＩＣ１０は、所定のタイミングで、フラッシュＲＯＭ１２から所望のマクロ命令を読み出し、描画ＩＣ３０に送信する処理を行う。
【００３７】
また、演算ＩＣ１０は、描画ＩＣ３０から表示部４に画像データを転送させる処理や描画ＩＣ３０に表示部４を駆動させる処理を行う。また、演算ＩＣ１０は、表示部４を駆動するための基準信号（例えば４ｋＨｚ）を描画ＩＣ３０に供給する。
【００３８】
また、演算ＩＣ１０は、リセットＩＣ５０からリセット信号が供給された時に、例えば強制的に時刻修正モードにするなどの初期化処理を行う。
【００３９】
また、演算ＩＣ１０は、温度計測ＩＣ４０や描画ＩＣ３０に電力を供給する処理、温度計測ＩＣ４０から温度計測値を読み出す処理、読み出した温度計測値に基づいて表示部４の駆動パルスの印加時間や印加タイミングを決定する処理を行う。
【００４０】
また、演算ＩＣ１０は通常動作モード（第１モードおよび第２モード）とスリープモードとを有しており、通常動作モードでは演算ＩＣ１０に内蔵の発振回路（例えば、コンデンサーＣ（Capacitor）と抵抗Ｒ（Resistor）で構成されたＣＲ発振回路）が出力するクロック信号に同期して動作し、スリープモードでは発振回路が停止して通常動作モードよりも低消費電力となる。低消費電力化を実現するために、演算ＩＣ１０は、表示部４の表示を更新するための処理（上記の各処理）を行う時は通常動作モードで動作し、何も処理を行わない時は、現在のモード情報や使用中のデータを演算ＩＣ１０に内蔵のＲＡＭ（Random Access Memory）（不図示）に退避し、スリープモードで待機する。例えば、第１モードや第２モードが選択されている場合、演算ＩＣ１０は、通常動作モードの時に、表示部４に表示させる画像の描画情報（マクロ命令）を描画ＩＣ３０に送信し、リアルタイムクロックＩＣ２０が有するタイマー２２に計測を開始させた後、スリープモードに移行する。また、演算ＩＣ１０は、スリープモードの時に、リアルタイムクロックＩＣ２０からタイマー２２の所定時間を計測したこと（計測終了）を示す割り込み信号ＩＮＴ（計測終了信号）を受信して通常動作モードに移行する。
【００４１】
この他、演算ＩＣ１０は、温度計測ＩＣ４０から温度計測値を読み出して正常動作可能な高温限界または低温限界に達したか否かを判断する処理や、一次電池６０の電圧値を監視して低電圧限界に達したか否かを判断する処理等を行ってもよい。
【００４２】
本実施形態では、演算ＩＣ１０は、あらかじめフラッシュＲＯＭ１２に記憶されているプログラムを実行することで各処理を行うが、ネットワークに接続されたサーバーからネットワークを介してプログラムを受信し、当該プログラムを内部メモリーに記憶させて実行するようにしてもよい。また、電子時計１を、メモリーカード等の情報記憶媒体を接続可能に構成し、演算ＩＣ１０が当該情報記憶媒体に記憶されているプログラムを実行することで各処理を行うようにしてもよい。
【００４３】
リアルタイムクロックＩＣ２０は、水晶振動子２４を発振させて例えば３２，７６８ｋＨｚの発振信号を生成し、この発振信号を分周したクロック信号で秒、分、時等の時刻や日、月、年等の日付を計時し、秒、分、時、日、月、年等を含む時刻情報を生成する。この時刻情報は、リアルタイムクロックＩＣ２０が内蔵するレジスター（不図示）に格納され、リアルタイムクロックＩＣ２０は、演算ＩＣ１０からの要求に応じて、レジスターに格納されている一部又は全部の時刻情報を演算ＩＣ１０に送信する。
【００４４】
また、リアルタイムクロックＩＣ２０は、演算ＩＣ１０からの要求に応じて、タイマー２２の計測を開始し、タイマー２２の計測が終了すると演算ＩＣ１０に割り込み信号ＩＮＴ（計測終了信号）を送信する。タイマー２２が計測する時間は、一定時間であってもよいし、演算ＩＣ１０により指定された時間であってもよい。
【００４５】
描画ＩＣ３０は、演算ＩＣ１０からの画像消去のマクロ命令に応じて、現在の画像を消去するための画像データを描画ＩＣ３０に内蔵するＶＲＡＭ（Video RAM）３４に展開する処理や、演算ＩＣ１０からの新規画像描画のマクロ命令に応じて、新規画像を表示するための画像データをＶＲＡＭ上に展開する処理を行う。また、描画ＩＣ３０は、表示部４に電力を供給し、ＶＲＡＭ３４に展開した画像データを表示部４に転送する処理、描画ＩＣ３０に内蔵する昇圧回路３６で外部電源電圧（例えば５Ｖ）を昇圧した高電圧（例えば１５Ｖ）の駆動パルスを生成し、表示部４を駆動する処理を行う。
【００４６】
描画ＩＣ３０が内蔵するフラッシュＲＯＭ３２には、表示部４に表示される画像のパーツデータ（例えば、図１の表示を行うための「１」、「０」、「：」等のパーツデータ）、背景データ等の画像データが記憶されている。演算ＩＣ１０から送信される画像消去のマクロ命令や新規画像描画のマクロ命令には、描画すべきパーツデータとその座標（各パーツデータの原点を配置すべき座標）の情報あるいは描画すべき背景データの情報等が含まれている。描画ＩＣ３０は、画像消去のマクロ命令や新規画像描画のマクロ命令に従い、フラッシュＲＯＭ３２に記憶されているパーツデータを読み出し、選択した各パーツを表示部４の表示領域の表示すべき座標に対応するＶＲＡＭ３４のアドレスに書き込み、あるいは、フラッシュＲＯＭ３２に記憶されている背景データを読み出してＶＲＡＭ３４の所定のアドレスに書き込む。
本実施形態において、フラッシュＲＯＭ３２が本発明の記憶部であり、フラッシュＲＯＭ３２は前述の通り表示用の画像が記憶されるとともに、後述する画像特定情報が記憶される。
【００４７】
また、描画ＩＣ３０は、演算ＩＣ１０から供給される基準信号（例えば４ｋＨｚ）を用いて、駆動パルスの印加（送信）タイミングやパルス幅を調整する。また、描画ＩＣ３０は、ＣＲ発振回路等の発振回路（不図示）を内蔵し、この発振回路により比較的高い周波数（例えば４００ｋＨｚ）のクロック信号を生成し、駆動パルスの生成処理を除く上記の各処理を行う。このように、描画ＩＣ３０が、内蔵の発振回路により生成されるクロック信号よりも周波数が十分低い基準信号（例えば４ｋＨｚ）を用いて駆動パルスの印加（送信）タイミングやパルス幅を調整することで、低消費電力化を図ることができる。
【００４８】
なお、時刻表示モード（第１モード）が選択されている場合、リアルタイムクロックＩＣ２０は、毎分００秒ちょうどになると、００秒の合図信号を演算ＩＣ１０に送信し、演算ＩＣ１０は、この合図信号を受信し、描画ＩＣ３０に対して表示部４への駆動パルスの印加（送信）を指示する。
描画ＩＣ３０は、この指示を受けて表示部４に駆動パルスを印加（送信）し、表示部４は、駆動パルスを受けて新規画像（１分が経過した時刻を含む画像）を表示する。このように、時刻表示モードにおいて、表示部４の画像更新をリアルタイムクロックＩＣ２０が送信する正確な合図信号に同期させることで、描画ＩＣ３０が生成する非同期のクロック信号に同期させる場合と比較して、より正確なタイミングで時刻表示が変わり始めるようにすることができる。
【００４９】
温度計測ＩＣ４０は、演算ＩＣ１０から電力を供給されて動作し、演算ＩＣ１０からの要求に応じて温度を計測し、温度計測ＩＣ４０に内蔵するＡ／Ｄ変換器（不図示）で温度計測値をデジタル値に変換して演算ＩＣ１０に送信する処理を行う。
【００５０】
リセットＩＣ５０は、操作ボタンＡ（５Ａ）及び操作ボタンＢ（５Ｂ）に対する所定の押下操作（例えば、同時にリセット操作時間である５秒以上長押し）が行われた場合に、リセットＩＣ５０に内蔵のＣＲ回路（不図示）により所定時間だけリセット信号を発生させて演算ＩＣ１０に供給する。
【００５１】
［表示部及び描画ＩＣの構成］
図３は、本実施形態の表示部４及び描画ＩＣ３０の構成を示す図である。図３に示すように、本実施形態の表示部４は、アクティブマトリックス方式の電気泳動表示パネル（ＥＰＤパネル）であり、文字、数字、記号、写真、模様、イラスト等の様々な画像を表示可能である。
【００５２】
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００５３】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。なお、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
【００５４】
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図４参照）のオンタイミングを規定する選択信号を供給する。
【００５５】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位（５Ｖ）を供給するか否かの制御を行う。
【００５６】
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（０Ｖ）を供給する。
【００５７】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。
【００５８】
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００５９】
図４は、図３に示した画素１０３の回路構成図である。なお、図３と同じ配線には同じ番号を付しており、説明は省略する。また、全画素に共通の共通電極配線２００については記載を省略している。
【００６０】
図４に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００６１】
駆動用ＴＦＴ１０４は、Ｎチャネル型ＭＯＳ（Metal Oxide Semiconductor）トランジスターからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５Ｔと帰還インバーター１０５Ｆとを備えている。転送インバーター１０５Ｔ、帰還インバーター１０５Ｆには、高電位電源線２０３と低電位電源線２０４との電位差に相当する電源電圧が供給される。
【００６２】
スイッチ回路１０６は、トランスミッションゲートＴＧ１、ＴＧ２からなり、ラッチ回路１０５に記憶された画素データのレベルに応じて、画素電極１３５（図６、図７参照）に信号を出力する。
【００６３】
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
【００６４】
本実施形態では、表示部４は、二粒子系マイクロカプセル型の複数の電気泳動素子を有し、各電気泳動素子に電界をかけることで各画素１０３の色が制御される。図５は、本実施形態の電気泳動素子１３２の構成を示す図である。電気泳動素子１３２は素子基板１３０と対向基板１３１（図６、図７参照）との間に配置されている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００６５】
図６は、表示部４の部分断面図である。素子基板１３０と対向基板１３１は、マイクロカプセル１２０を配列してなる電気泳動素子１３２を狭持している。表示部４は、素子基板１３０の電気泳動素子１３２側に、複数の画素電極１３５が形成された駆動電極層３５０が設けられている。図６では、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素１０３Ａとし、画素電極１３５Ｂを有する画素を画素１０３Ｂとする。画素１０３Ａ、画素１０３Ｂは画素１０３（図３、図４参照）に対応する２つの画素である。
【００６６】
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位ＶＣＯＭが供給される。
【００６７】
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００６８】
図６は、共通電極側の電位ＶＣＯＭが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第１色の一例）を表示していると視認される。
【００６９】
図７は、図６の状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第２色の一例）に変化したと視認される。一方、画素電極１３５Ｂと共通電極１３７との間では、電位差が生じていないため、黒色粒子１２６と白色粒子１２７は図６の位置でほとんど移動せず、画素１０３Ａは白色のまま変化していないと視認される。
【００７０】
なお、画素電極１３５と共通電極１３７との電位差の大きさあるいは電位差を生じさせる時間を制御することで、黒色粒子１２６と白色粒子１２７を両電極間の任意の中間位置で静止させれば、黒色と白色の間の任意の中間色（灰色）を表示させることもできる。
【００７１】
このように、ＥＰＤパネルは、一定時間、電力が供給されなくても画像を保持できるため低消費電力動作が可能であり、また、１８０度視認可能であるため、腕時計等の携帯型の電子時計の表示部としての使用にも適している。
【００７２】
［表示モードの遷移］
図８は、表示部４の表示モードの遷移を示す図である。本実施形態では、リセット操作が行われると、演算ＩＣ１０は時刻修正モードを選択し、表示部４には時刻修正画面が表示される。リセット操作は、例えば、ユーザーが一次電池６０を装着する操作や、操作ボタンＡ，Ｂを同時に長押し（例えば、リセット操作時間以上押下）する操作（強制リセット操作）である。表示部４に時刻修正画像が表示されている時に、ユーザーが操作ボタンＡ，Ｂを押すと、表示部４に表示される時刻が進められ、又は巻き戻される。
【００７３】
次に、ユーザーが操作ボタンＡを長押しするか、所定時間操作が無かった場合、演算ＩＣ１０は時刻表示モード（第１モード）を選択し、表示部４には時刻表示モードの表示画像が表示される。
時刻表示モードの表示画像としては、Ｎ個のスタイル（本実施形態ではスタイルＳ１〜Ｓ４）が用意されている。
【００７４】
演算ＩＣ１０が時刻表示モードに入った際には、先ずスタイルＳ１で表示部４の表示画像が表示される。スタイルＳ１が表示された状態で、ユーザーが操作ボタンＢを所定時間（例えば２秒）未満押して離す動作（Ｂ短押し）を行う毎に、表示部４にはスタイルＳ２，Ｓ３の表示画像が順番に表示され、以下スタイルＳ１〜Ｓ３が繰り返し表示される。
スタイルＳ１〜Ｓ３が表示されている状態で、ユーザーが操作ボタンＢを所定時間（例えば２秒）以上押して離す動作（Ｂ長押し）を行う毎に、表示部４にはスタイルＳ４の表示画像が表示される。
スタイルＳ４が表示されている状態で、ユーザーが操作ボタンＡまたは操作ボタンＢを所定時間未満押して離す動作（Ａ／Ｂ短押し）を行うことで、Ｂボタン長押しでスタイルＳ４に切り替えた際に表示されていた元のスタイルＳ１〜Ｓ３のいずれかに戻る。
【００７５】
これらのスタイルＳ１〜Ｓ４の切り替えの間、演算ＩＣ１０は時刻表示モードを選択したままの状態を維持する。そして、表示部４にスタイルＳ１〜Ｓ４のいずれかの表示画像が表示されている時は、１分毎または１秒毎に表示画像の時刻表示が更新される。
【００７６】
本実施形態における「スタイル」とは、表示される画像の基本デザインを意味する。例えば、時刻の表示態様（時刻だけか、日付と時刻か、など）、一緒に表示される画像や情報（気温等）、またはフォントなどの配置と組み合わせのパターンである。
時刻表示の部分については、ユーザーが分または秒の変化を把握できるように、数字や、分単位または秒単位の変化が判別できる大きさの時計の画像が用いられる。
各スタイルの表示画像は、それぞれ時刻表示を含まない第１画像のレイヤーと、時刻表示を含む第２画像のレイヤーとを重ね合わせて構成される。
【００７７】
第１画像には、描画ＩＣ３０のフラッシュＲＯＭ３２に格納されている画像が用いられる。第１画像の絵柄は、時刻を表示するものではないが、時刻に応じた複数の絵柄が準備され、表示する際に時刻（日付を含む）に対応するものが用いられる。
例えば、１０：００〜１０：５９までは「１０時台の画像」、１１：００〜１１：５９までは「１１時台の画像」などの切り替えが行われる。あるいは、表示する時間帯により「昼画像」と「夜画像」とを切り替えて表示してもよい。表示する月（１月、２月など）により月めくりカレンダーのように別の画像に切り替えて表示してもよい。特定の日付（誕生日、結婚記念日など）で専用の画像に切り替えて表示してもよい。さらに、通常は時間帯での画像切り替えを行い、特定の日付では記念日の専用画像を表示してもよい。
【００７８】
このような表示を行うために、フラッシュＲＯＭ３２に格納されている第１画像用の画像データには、「スタイル」、「日付」、「時刻または期間」を特定するための「画像特定情報」がインデックスとして設定されている。画像特定情報は、スタイルの識別情報、日付および時刻の情報である。スタイルの識別情報としては、例えばスタイルＳ１〜Ｓ４を指定する識別記号「Ｓ１」「Ｓ２」などが利用できる。
なお、第１画像は、スタイルに一種類（常に同じ画像）としてもよい。
【００７９】
第２画像は、時刻を文字表示する画像であり、フラッシュＲＯＭ３２から表示する日付（例えば「１／２４」）および時刻（例えば「１１：４５」）に該当するパーツデータを読み出し、時刻を文字表示する画像（例えば「１／２４  １１：４５」）に構成され、表示される。この際、表示に用いられる文字のパーツデータは、そのフォントや装飾などが表示する時刻に対応するものが用いられる。つまり、第２画像も表示する時刻に応じて変化させることができる。
【００８０】
図９に示すように、本実施形態では、４つのスタイルＳ１〜Ｓ４が設定されている。
スタイルＳ１は、シンプルな文字（数字および記号を含む）だけの時刻表示であり、午前午後を示す「ａｍ」または「ｐｍ」の表示と、「時」および「分」の数字とで構成される。これらの各表示要素は、時刻表示に該当するため、すべて第２画像となる。
【００８１】
スタイルＳ２では、左側に「日付」および「時刻」が表示され、中間部から右側にかけてキャラクターなどの絵柄が表示される。左側の「日付」および「時刻」は時刻表示に該当するため、第２画像となる。右側の絵柄は、時刻表示に該当しないため、第１画像となる。
【００８２】
スタイルＳ３では、左側にアナログ時計を模した絵柄により「時刻」が表示され、中間部から右側にかけてキャラクターなどの絵柄が表示される。左側の時計の絵柄は、時刻に応じて指針の表示が変化するものであり、時刻表示に該当するため、第２画像となる。右側の絵柄は、時刻表示に該当しないため、第１画像となる。
【００８３】
スタイルＳ４では、上部に「日付」および「曜日」が表示され、下部に「時刻」が表示される。また、中間部にキャラクターなどの絵柄が表示され、その下部には温度計測ＩＣ４０で測定された「気温」が表示される。上部の「日付」および「曜日」と、下部の「時刻」は、時刻表示に該当するため、第２画像となる。中間部の「気温」については、時刻表示ではないが、時間経過で変化するものであるため、時刻情報に準じて第２画像となる。中間部のキャラクターの絵柄は、時刻表示に該当しないため、第１画像となる。
【００８４】
これらのスタイルＳ１〜Ｓ４のうち、スタイルＳ１，Ｓ２，Ｓ４においては、時刻表示を含む第２画像が数字や文字や記号で構成される。このような第２画像は、演算ＩＣ１０の制御により、描画ＩＣ３０が、内蔵するフラッシュＲＯＭ３２に格納されているパーツデータを用いて描画する。また、スタイルＳ３においては、時刻表示を含む第２画像が針式の時計の画像で構成される。このような第２画像についても、演算ＩＣ１０の制御により、描画ＩＣ３０が、内蔵するフラッシュＲＯＭ３２に格納されている時計の文字板の画像および指針の画像を用いて描画する。
【００８５】
［デモ表示モード］
図８に示すように、演算ＩＣ１０が時刻表示モードにあり、表示部４にスタイルＳ１〜Ｓ３のいずれかの表示画像が表示されている時に、ユーザーが操作ボタンＡを長押しすると、演算ＩＣ１０はデモ表示モード（第２モード）を選択し、表示部４には「デモ表示確認画像」が表示される。なお、スタイルＳ４から「デモ表示確認画像」を選択できるようにしてもよい。
「デモ表示確認画像」が表示された状態で、ユーザーが操作ボタンＢを短押しすると、演算ＩＣ１０は時刻表示モードに戻り、表示部４には元のスタイルＳ１〜Ｓ４の表示画像が再び表示される。
一方、「デモ表示確認画像」が表示された状態で、ユーザーが操作ボタンＡを短押しすると、演算ＩＣ１０はデモ表示モードの画像表示を開始し、表示部４には複数の表示画像を一定時間間隔で順次表示する「デモ表示」が表示される。
【００８６】
デモ表示は、演算ＩＣ１０が、フラッシュＲＯＭ３２に格納された複数の画像特定情報のリストを参照することで実行される。
図１０において、画像特定情報のリストは、複数の画像特定情報（スタイルの識別情報、日付および時刻の情報）を記録したものであり、本実施形態での最大記憶件数は６とされている。これらの画像特定情報により、フラッシュＲＯＭ３２に格納された複数の画像が特定され、特定される各々の画像がクリップＣ１〜Ｃ６としてデモ表示で順次される。なお、図１０のリストでは、クリップＣ５，Ｃ６が空欄であるが、空欄のクリップについては、演算ＩＣ１０が表示をスキップする。
【００８７】
従って、図１０のリストに基づくデモ表示としては、図１１に示すように、４つの画像が順次表示（いわゆるスライドショー表示）される。
先ず、演算ＩＣ１０は、図１０のリストの先頭にあるクリップＣ１の画像特定情報を参照し、該当する画像を表示部４に表示する。図１１に示すように、表示部４には、クリップＣ１に設定された「スタイルＳ１、日付１／２４、時刻１１：４５」の画像が表示される。
「スタイルＳ１」は、時刻を文字表示する第２画像だけなので（図９参照）、日付「１／２４」および時刻「１１：４５」に該当するパーツデータがフラッシュＲＯＭ３２から読み出され、「日付１／２４、時刻１１：４５」を表示する第２画像として表示部４に表示される。
【００８８】
続いて、演算ＩＣ１０は、図１０のリストの２番目のクリップＣ２の画像特定情報を参照し、該当する画像を表示部４に表示する。図１１に示すように、表示部４には、クリップＣ２に設定された「スタイルＳ２、日付１／２４、時刻１１：４５」の画像が表示される。
「スタイルＳ２」は、時刻表示を含まない第１画像と時刻表示を含む第２画像との重ね合わせである（図９参照）。このため、前述したスタイルＳ１と同様に文字等のパーツデータによる第２画像が組み立てられるとともに、「日付１／２４、時刻１１：４５」に該当する第１画像がフラッシュＲＯＭ３２から読み出され、互いに重ね合わせてスタイルＳ２の表示画像とされ、表示部４に表示される。
【００８９】
以下同様に、クリップＣ３およびクリップＣ４の画像特定情報が読み出され、対応する画像が表示部４に表示される。そして、クリップＣ４の表示ののち、クリップＣ１の表示に戻り、以下同様にクリップＣ１〜Ｃ４の表示を繰り返す。
これらの順次表示において、各クリップＣ１〜Ｃ４の表示の切り替えタイミングとしては、５秒から３０秒程度の間で予め設定しておけばよいが、この時間をユーザーが設定できるように構成してもよい。
また、各クリップＣ１〜Ｃ４の画像特定情報に基づく画像が表示部４に順次表示されるデモ表示中に、ユーザーが操作ボタンＢを短押しすると、デモ表示が停止し、表示部４に「デモ表示確認画像」が表示される状態に戻る。
【００９０】
本実施形態において、図１０に示す画像特定情報のリストは、電子時計１の出荷時に設定されたファクトリープリセットであり、電子時計１に予め設定されている複数のスタイルＳ１〜Ｓ４が順次表示され、各スタイルと見比べられるようになっている。このようなデモ表示は、電子時計１を販売する店舗において「店頭デモ表示」として好適に利用できる。
なお、ファクトリープリセットされる画像特定情報で表示される画像としては、各スタイルＳ１〜Ｓ４の例示に限らず、他の画像であってもよい。例えば、特定の日付（ハロウィーンなど）に表示される記念日画像や、映画などストーリー性がある画像の一シーンや、メーカーがお勧めするもの、店頭デモに好適な他の画像であってもよい。
一方、図１０に示すリストの画像特定情報は、ユーザーが書き換えることができる。具体的には、ユーザーが時刻表示モードでいずれかの表示画像が気に入った場合など、その画像を選択する操作を行うことで、デモ表示される画像に追加することができる。
【００９１】
［デモ画像の選択操作］
演算ＩＣ１０が時刻表示モードにあり、表示部４にスタイルＳ１〜Ｓ４のいずれかの表示画像が表示されている時に、ユーザーが操作ボタンＡ，Ｂを同時に長押しすると、演算ＩＣ１０はデモ画像選択動作を実行する。操作ボタンＡ，Ｂを同時に長押しとは、両方の操作ボタンＡ、Ｂが押された状態が所定時間（例えば２秒）以上継続することであり、操作ボタンＡ，Ｂを押し始めるタイミングに差があってもよい。
図１２に示すように、時刻表示モードでは、演算ＩＣ１０により、現在選択されているスタイル（例えばスタイルＳ２）で、表示部４に表示画像が表示される。このスタイルＳ２は、１日のうち時間帯に応じて表示画像が変化するものとする。
特定の時刻に表示される表示画像のいずれかを、ユーザーが気に入ったならば、ユーザーはその画像が表示されている状態で選択操作を行うことで、その画像をデモ表示される画像として追加することができる。
【００９２】
具体的には、例えば朝（７：００）、昼前（１１：４５）、午後（１５：１０）、夜（２３：４５）に、それぞれ気に入った画像が表示されるのであれば、その時刻に操作ボタンＡ，Ｂを同時に長押し（Ａ＋Ｂ長押）する。
各々の操作により、各時刻に表示されている画像の画像特定情報が、前述した図１０の画像特定情報のリストに追加される。
操作ボタンＡ，Ｂの同時長押しによる選択操作によって、気に入った画像が画像特定情報のリストに追加されたら、画像が選択されたことをユーザーに知らせる選択確認動作を実行してもよい。例えば、デモ表示モードに移行し、選択された画像を最初に表示し、以降現在リストにある画像を順次表示する。この際、選択操作前にリストの最後にあった画像は、選択操作により削除されるため、表示されない。このような選択確認動作により、画像の選択操作が実行されたことをユーザーに知らせることができる。
【００９３】
図１３に示すように、新たに追加される画像特定情報（スタイルＳ２、日付１／２６、時刻２３：４５）は、常に最新の情報の位置つまりクリップＣ１の位置に書き込まれる。
図１３においては、既にクリップＣ２〜Ｃ４までに朝（７：００）、昼前（１１：４５）、午後（１５：１０）の画像特定情報が書き込まれている。これらは、各々クリップＣ１の位置に書き込まれた後、次の画像特定情報がクリップＣ１に書き込まれる際に、クリップＣ２〜Ｃ４に繰り下げられたものである。また、クリップＣ５，Ｃ６の画像特定情報は、前述した図１０のクリップＣ１，Ｃ２にあった画像特定情報が繰り下げられたものである。
【００９４】
さらに、繰り下げがあった際に、元のクリップＣ６に記録されていた画像特定情報、つまり最も古い画像特定情報は、自動的に削除される。
図１３においては、それまでの選択操作により、前述した図１０のクリップＣ４にあった画像特定情報が既に削除されている。また、今回（時刻２３：４５の画像特定情報）の書き込みにより、クリップＣ６に記録されていた画像特定情報（スタイルＳ３、日付１／２４、時刻１１：４５）が削除される。
【００９５】
このようにして図１３の画像特定情報のリストが更新されると、次に演算ＩＣ１０がデモ表示モードに切り替えられた際に、このリストに基づくデモ表示が行われる。
この際、演算ＩＣ１０は、画像特定情報のリストから、新しい順で画像特定情報を読み出して表示部４に表示させる。
つまり、図１４に示すように、先ずクリップＣ１の画像が表示され、続いてクリップＣ２〜Ｃ６の画像が表示され、以下これらのクリップＣ１〜Ｃ６の６つの画像の順次表示が繰り返される。
【００９６】
図８に戻って、演算ＩＣ１０がデモ表示モードにあり、デモ表示が行われている状態で、ユーザーが操作ボタンＢを短押しすると、演算ＩＣ１０は「デモ表示確認画像」に戻る。「デモ表示確認画像」において、さらに操作ボタンＢを短押しすると、元の時刻表示モードに復帰する。
【００９７】
［時刻修正モード］
演算ＩＣ１０が時刻表示モードにあり、表示部４にスタイルＳ１〜Ｓ４のいずれかの表示画像が表示されている時に、ユーザーが操作ボタンＡ，Ｂを同時に短押しすると、演算ＩＣ１０は時刻修正モードを選択し、表示部４には時刻修正画像が表示される。時刻修正モードでは、操作ボタンＡ，Ｂの操作により、リアルタイムクロックＩＣ２０でカウントされている現在時刻を修正することができる。
表示部４に時刻修正画像が表示されている時に、ユーザーが操作ボタンＡを長押しするか、所定時間操作が無かった場合、演算ＩＣ１０は、時刻修正モードを選択する直前のモード（時刻表示モード）を再び選択し、表示部４には時刻修正画像が表示される直前の画像が表示される。
【００９８】
［実施形態の効果］
本実施形態によれば、以下のような作用効果が得られる。
本実施形態では、電子時計１を時刻表示モード（第１モード）とすることで、予め設定された画像を、日付および時刻に応じて表示部４に表示させることができる。この際、各スタイルＳ１〜Ｓ４においては、表示画像が時刻に応じて表示が変化し、時間経過を楽しむことができる。
一方、電子時計１をデモ表示モード（第２モード）とすることで、ユーザーが予め選択した画像を表示部４にデモ表示させることができる。
【００９９】
つまり、ユーザーが気に入った画像や、誰かに見せたい画像など、特定の画像を自由に表示させることができる。このような、ユーザーが気に入った画像や、誰かに見せたい画像は、ＳＮＳ（Social Networking Service）上に公開することで、話題作りに利用することができる。
さらに、前述したファクトリープリセットのほか、販売店が特定の画像を選択し、店頭でデモ表示とすることもでき、電子時計１の特徴をアピールすることで販売促進に利用することもできる。
【０１００】
本実施形態では、時刻表示モード（第１モード）において、ユーザーが操作部（操作ボタンＡ，Ｂ）に選択操作（両ボタンの同時長押し）を行うことで、その時点で表示中の画像が選択され、画像特定情報の形で記憶部（フラッシュＲＯＭ３２）に記憶させることができる。画像特定情報が記憶された状態で、ユーザーがデモ表示モード（第２モード）に切り替えると、記憶部に記憶された画像特定情報に基づいて画像が表示され、事前にユーザーが選択した画像を表示させることができる。この際、新しく選択した画像から表示されるため、新たに画像を選択してデモ表示モードに切り替えることで、選択したての画像を最初に見ることができる。ただし、デモ表示モードにおける表示順は逆あるいはランダム選択（シャッフルモード）などであってもよい。
【０１０１】
本実施形態では、画像特定情報として、表示画像のスタイル、表示する時刻および日付の情報を用いるとしたため、画像自体を記憶する場合に比べて、記憶容量を小さくすることができる。
【０１０２】
本実施形態では、操作部として時計ケース２の左右の側面にある一対の操作ボタンＡ，Ｂを用い、これらを同時に操作することで、現在の表示画像の選択操作を行うようにした。このため、選択操作は、ユーザーが手指で電子時計本体を挟むようにして実行でき、ユーザーの選択操作を容易にすることができる。また、２つの操作ボタンＡ，Ｂを、長押しする、という特別な操作を用いるため、ユーザーが意識的に選択操作を行う必要があり、誤って選択操作を行うことを防止できる。
【０１０３】
本実施形態では、ユーザーが選択した複数の画像を特定する画像特定情報を記憶部（フラッシュＲＯＭ３２）に記憶するようにした。このため、デモ表示モード（第２モード）を実行すれば、先に選択した複数の画像が順次表示（いわゆるスライドショー表示）され、ユーザーが画像の順送りなどの操作を行うことなく、選択した全ての画像を閲覧することができる。
さらに、本実施形態では、ユーザーの選択に先立って、電子時計１の製造時などに、予め電子時計１に設定されている全てのスタイルＳ１〜Ｓ４が概観できるように記憶部に記憶させておいたため、電子時計１を販売する店舗において「店頭デモ表示」として好適に利用することができる。なお、画像特定情報として記憶部に記憶されたファクトリープリセットは、ユーザーが選択操作を繰り返すことで順次消去することができる。
【０１０４】
本実施形態では、ユーザーが選択した画像は、最新のものから最大記憶件数だけ記憶しておくものとし、古い画像は自動的に消去することができる。したがって、ユーザーが選択された画像を手動操作で消去する必要が無く、取り扱いが容易となる。また、選択した画像の記憶件数は最大記憶件数（例えば６個）に限定されるため、記憶部（フラッシュＲＯＭ３２）の記憶容量も抑制でき、電子時計１に組み込み可能な記憶素子で構成できる。
さらに、ユーザーやメーカーなどが厳選したお気に入りの画像のみを表示させることができ、選択した画像を一巡させて閲覧する時間も一定時間内に短くできる。このため、ユーザーは自分が気に入った画像のみを短時間で見返すことができ、友人などにも気軽に見せることができ、ＳＮＳ等に動画として容易に投稿できる。
【０１０５】
本実施形態では、デモ表示モード（第２モード）では、ユーザーが選択した表示画像の表示にあたって、時刻表示を含まない第１画像のレイヤーと、選択した時点の時刻表示を含む第２画像のレイヤーとを重ね合わせた表示としていた。このため、デモ表示される表示画像には、ユーザーがその画像を選択した時点の時刻も含まれる。従って、ユーザーが選択した画像に関する記録（いわゆるタイムスタンプ）として利用することができる。
【０１０６】
［他の実施形態］
なお、本発明は、前述した実施形態に限定されるものではなく、本発明の目的を達成できる範囲での変更などは本発明に含まれる。
前記実施形態では、デモ表示用の画像特定情報を最大記憶件数６件まで記憶するようにしたが、これより少なくてもよく、あるいは更に多くてもよい。また、電子時計１に設定される表示画像のスタイルは、スタイルＳ１〜Ｓ４の４種に限らず、これより少なくてもよく、あるいは更に多くてもよい。
【０１０７】
前記実施形態では、最大記憶件数を超えて画像特定情報が追加される際に、記憶されているうち最も古い画像特定情報を自動的に削除するとしたが、自動的な削除は必須ではない。一方、ユーザーが操作することで、記憶されている画像特定情報を削除できるようにしてもよい。例えば、デモ表示モード（第２モード）によるデモ表示している状態で、いずれかの表示画像が表示された際にユーザーが選択操作を行うことで、選択操作された画像特定情報をリストから削除できるようにしてもよい。
【０１０８】
前記実施形態では、デモ表示モード（第２モード）では、ユーザーが選択した表示画像の表示にあたって、時刻表示を含まない第１画像のレイヤーと、選択した時点の時刻表示を含む第２画像のレイヤーとを重ね合わせた表示としていた。
これに対し、第２画像のレイヤーの時刻表示は、現在の時刻であってもよく、あるいは時刻表示を省略してもよい。
【０１０９】
図１５において、クリップＣ１〜Ｃ４，Ｃ６は、スタイルＳ２の表示画像であり、前述した図９で説明した通り、第１画像によるキャラクターなどの絵柄と、第２画像による日付および時刻とが表示される。
前述した図１４のデモ表示では、第２画像による日付および時刻が、それぞれユーザーによる選択操作でデモ表示用に記憶された日付および時刻で表示されていた。
これに対し、図１５のデモ表示では、第２画像による日付および時刻が、それぞれ現在の日付および時刻で表示されている。
【０１１０】
このような本実施形態によれば、デモ表示モード（第２モード）では、ユーザーが選択した画像が表示されるとともに、その表示には現在時刻も含まれる。従って、ユーザーが選択した画像を表示させつつ、現在時刻を読み取ることができ、時計としての機能を維持することができる。なお、図１５では、各画像は５〜１０秒程度で切り替わるため、６種類の画像表示を一巡させた場合でも１分未満で処理可能である。また、各画像の表示時間を１０秒以上に長くし、６種類の画像表示が一巡する間に１分が経過した場合には、第２画像の時刻の分表示が１分後の表示に切り替わることになる。
【０１１１】
図１６において、クリップＣ１〜Ｃ４，Ｃ６は、スタイルＳ２の表示画像であり、時刻表示モードで表示されていた際には、前述した図９で説明した通り、第１画像によるキャラクターなどの絵柄と、第２画像による日付および時刻とが表示される。
これに対し、図１６のデモ表示では、第１画像のみが表示され、第２画像による日付および時刻の表示は除外されている。
図１６において、クリップＣ５は、第２画像だけのスタイルＳ２において、日付および時刻を表示する第２画像が除外されているため、空白の表示となっている。
このような本実施形態においては、日付および時刻を表示する第２画像が除外されているため、第１画像だけをデモ表示させ、その絵柄のみを見ることができる。
【０１１２】
前記実施形態では、時刻表示を含まない第１画像のレイヤーとして、キャラクターなどの絵柄を用い、図１２のように、１日の時間帯で同じキャラクターの姿勢が変化するものとしていた。
本発明において、第１画像は、このような時間帯で変化するものに限らず、表示する月（１月、２月など）により月めくりカレンダーのように別の画像に切り替えて表示してもよい。また、基本的に月ごとの表示や時簡帯での表示を行いつつ、特定の日付（誕生日、結婚記念日など）で専用の画像に切り替えて表示するようにしてもよい。
図１７において、電子時計１に設定されたスタイルの一つは、年間の祝祭日に応じた絵柄を第１画像に含んでいる。従って、各祝祭日の表示画像を選択操作することで、祝祭日に対応した表示画像をデモ表示することができる。
【０１１３】
さらに、表示画像のスタイルとしては、キャラクターの絵柄を用いるものに限らず、文字や数字や記号の形態あるいは装飾が異なるものとしてもよい。例えば、異なるフォントあるいはモノグラムを用いてスタイルを構成してもよい。
【０１１４】
前述した実施形態では、指定されたスタイルの画像を、日付および時刻に応じて表示部４に表示させる時刻表示モード（第１モード）と、ユーザーが選択した画像を表示部４に表示させる（デモ表示モード）第２モードと、を備えていた。
時刻表示モード（第１モード）では、制御部である演算ＩＣ１０により、記憶部であるフラッシュＲＯＭ３２に記憶された画像のうち、指定されたスタイルのものが、日付および時刻に応じて表示部４に表示された。
デモ表示モード（第２モード）では、予め操作部である操作ボタンＡ，Ｂで選択された画像を、画像特定情報として記憶部であるフラッシュＲＯＭ３２に複数記憶しておくことで、制御部である演算ＩＣ１０により、記憶された画像特定情報が順次読み出され、表示部４に順次表示された。
【０１１５】
これに対し、電子時計１に、現在の日付および時刻に対応する全てのスタイルの画像を順次、表示部４に表示させるスタイル展示モード（第３モード）を設けてもよい。すなわち、電子時計１としては、前記実施形態のように、第１、２モードを備えるものでもよいが、第１、３モードを備えるものでもよく、さらには、第１〜３の３種類の表示モードを備えるものでもよい。
スタイル展示モード（第３モード）では、制御部である演算ＩＣ１０により、記憶部であるフラッシュＲＯＭ３２に記憶された画像のうち、現在の日付および時刻に対応する全てのスタイルの画像が順次読み出され、表示部４に順次表示される。
【０１１６】
図１８の実施形態では、スタイルＳ１〜Ｓ５が設定され、これらのスタイルＳ１〜Ｓ５には文字（数字や記号を含む）だけが用いられている。
時刻表示モードにおいては、指定されたスタイルのいずれかを用いて、現在の日付と時刻（スタイルＳ１，Ｓ２）、現在の時刻（スタイルＳ３，Ｓ４）および現在の時刻と気温（スタイルＳ５）が表示される。
ここで、スタイル展示モードに切り替えると、現在の日付および時刻に対応する全てのスタイルＳ１〜Ｓ５の画像が、所定の時間間隔で順次、繰り返し表示される。時刻が変わった場合、その時刻に対応する全てのスタイルＳ１〜Ｓ５の画像の繰り返しに変化する。
【０１１７】
このようなスタイル展示モード（第３モード）では、電子時計で利用可能な全てのスタイルを展示することができ、店頭での展示に用いることができるほか、ユーザーが知人に自分の電子時計を紹介する場合にも用いることができる。
さらに、スタイル展示モードでは、演算ＩＣ１０がフラッシュＲＯＭ３２に記憶された各スタイルＳ１〜Ｓ５の画像について、現在の日付および時刻に対応するものを、自動的に読み出すことができるため、デモ表示モード（第２モード）のような画像特定情報を必要としない。前述した図１０および図１１のファクトリープリセットのデモ表示モードは、ユーザーが好みの画像を選択した際に自動的に削除されるが、スタイル展示モードは画像特定情報とは独立しているため、随時呼び出すことが可能である。
【０１１８】
このようなスタイル展示モード（第３モード）の呼び出しは、例えば図８の「デモ表示確認画像」から行うようにしてもよく、例えば「デモ表示確認画像」で「デモ表示モード」と「スタイル展示モード」とを選択できるようにしてもよく、あるいは、時刻表示モード（第１モード）から操作ボタンＡ，Ｂの所定の操作により直接呼び出すようにしてもよい。
なお、スタイル展示モード（第３モード）での表示画像は、図１８のような文字の形態や表示形式が時刻で変化するスタイルＳ１〜Ｓ５に限らず、前述した図９〜図１１の実施形態のようなキャラクターの絵柄を含むスタイルＳ１〜Ｓ４であってもよい。
【０１１９】
前述した実施形態において、デモ表示モード（第２モード）は、ユーザーが選択した画像を順次表示するほか、ファクトリープリセットで各スタイルのデモ表示を行うものとしていた。ファクトリープリセットとしては、各スタイルのデモ表示に限らず、予め設定された表示画像のなかでも、印象的なもの、目立つもの、ユーザーの関心をひくものなどを選択し、記憶させておいてもよい。
さらに、電子時計の表示画面としての各スタイルとは別に、複数の画像を順次表示する機能として用いてもよい。
例えば、映画の各シーンを示す画像の順次表示、旧来の紙芝居の各シーンなどをデモ表示してもよい。
【０１２０】
前述した実施形態において、デモ表示モード（第２モード）は、選択された各表示画像を自動で順次送り表示するものに限らず、ユーザーの操作により１枚ずつ送るものでもよい。
また、順次表示が一巡した後、先頭に戻って順次表示を繰り返すものに限らず、最後の画像を表示した状態で停止してもよく、デモ表示モードを終了して「デモ表示確認画像」に戻ってもよい。
【０１２１】
前述した実施形態において、電子時計１は矩形の時計ケース２の左側面および右側面に操作ボタンＡ（５Ａ）と操作ボタンＢ（５Ｂ）とを有するものしたが、時計ケース２は丸型、楕円型、樽型などの他の形状でもよい。
また、操作ボタンは時計ケース２の左右のどちらか一方のみに複数のボタンを配置したものであってもよく、ボタンの数も２つに限らない。
ただし、時計ケース２の形状に関わりなく、選択操作を行うための２つの操作ボタンは、時計ケース２のなるべく離れた位置に配置されることが好ましい。例えば、丸形の時計ケース２であれば、直径上に配置することで、最も離れた位置とすることができる。
【符号の説明】
【０１２２】
１…電子時計、４…表示部、５Ａ，５Ｂ…操作部である操作ボタンＡ，Ｂ、１０…制御部である演算ＩＣ、３２…記憶部であるフラッシュＲＯＭ。
【図１】
2017161464.tif 000003
【図２】
2017161464.tif 000004
【図３】
2017161464.tif 000005
【図４】
2017161464.tif 000006
【図５】
2017161464.tif 000007
【図６】
2017161464.tif 000008
【図７】
2017161464.tif 000009
【図８】
2017161464.tif 000010
【図９】
2017161464.tif 000011
【図１０】
2017161464.tif 000012
【図１１】
2017161464.tif 000013
【図１２】
2017161464.tif 000014
【図１３】
2017161464.tif 000015
【図１４】
2017161464.tif 000016
【図１５】
2017161464.tif 000017
【図１６】
2017161464.tif 000018
【図１７】
2017161464.tif 000019
【図１８】
2017161464.tif 000020